(57)【要約】 【課題】小型化を図ることができる電子機器を提供する。【解決手段】一つの実施形態によれば、電子機器は、第１部材と、第２部材と、支持部材とを備える。前記第２部材は、前記第１部材との間に隙間を空けた第１部分と、該第１部分に対して前記第１部材に近付く方向に傾いて前記第１部材に隣り合う第２部分とを含む。前記支持部材は、前記第２部材の第２部分の内面に接着剤で固定される。前記支持部材は、前記第１部材に隣り合う前記第２部分の端部と前記接着剤との間で前記第２部分の内面に接した突起を有する。【選択図】図５
2014123066.tif 000002
【特許請求の範囲】
【請求項１】
表示装置と、
前記表示装置が露出する開口部と、第１係合部とが設けられたマスクと、
前記マスクとの間に前記表示装置が位置した第１部分と、該第１部分に対して前記マスクに近付く方向に傾いて前記マスクに隣り合う第２部分とを含むカバーと、
前記カバーの第２部分の内面に接着剤で固定され、前記第１係合部が係合する第２係合部を有するとともに、前記マスクに隣り合う前記第２部分の端部と前記接着剤との間で前記第２部分の内面に接して前記第２部分の端部に沿って延びた第１突起を有した支持部材と、
を備えた電子機器。
【請求項２】
請求項１に記載の電子機器において、
前記表示装置は、表示画面を有し、
前記第１突起は、前記表示画面と略平行な方向及び前記表示装置の厚さ方向で前記第２部分の内面に接した電子機器。
【請求項３】
請求項１または請求項２に記載の電子機器において、
前記カバーは、前記第２部分とは反対側に位置して、前記第１部分とは交差した方向に延びて前記マスクに隣り合う第３部分を有し、
前記支持部材は、前記カバーの第３部分の内面に前記接着剤で固定されるとともに、該支持部材は、前記マスクに隣り合う前記第３部分の端部と前記接着剤との間で前記第３部分の内面に接して前記第３部分の端部に沿って延びた第２突起を有した電子機器。
【請求項４】
請求項３に記載の電子機器において、
前記第１突起は、前記カバーの第２部分の内面に第１方向で接し、前記第２突起は、前記カバーの第３部分の内面に、前記第１方向とは異なる第２方向で接した電子機器。
【請求項５】
請求項３または請求項４に記載の電子機器において、
前記支持部材は、前記カバーの外形に沿う枠状に形成され、
前記支持部材の外周縁には、前記第１突起及び前記第２突起を含むリブが設けられた電子機器。
【請求項６】
請求項５に記載の電子機器において、
前記リブは、前記支持部材の外周縁の略全周に設けられた電子機器。
【請求項７】
請求項５または請求項６に記載の電子機器において、
前記支持部材の内周縁には、前記カバーの内面から離れる方向に傾いた面を有して前記接着剤の一部を収容可能な溜り部が設けられた電子機器。
【請求項８】
請求項７に記載の電子機器において、
前記溜り部は、前記支持部材の内周縁に沿って延びた電子機器。
【請求項９】
請求項７または請求項８に記載の電子機器において、
前記溜り部は、前記支持部材の内周縁の略全周に設けられた電子機器。
【請求項１０】
第１部材と、
前記第１部材との間に隙間を空けた第１部分と、該第１部分に対して前記第１部材に近付く方向に傾いて前記第１部材に隣り合う第２部分とを含む第２部材と、
前記第２部材の第２部分の内面に接着剤で固定されるとともに、前記第１部材に隣り合う前記第２部分の端部と前記接着剤との間で前記第２部分の内面に接した突起を有した支持部材と、
を備えた電子機器。
【請求項１１】
請求項１０に記載の電子機器において、
前記突起は、前記第１部分の内面と略平行な方向及び前記第１部分の内面とは交差した方向で前記第２部分の内面に接した電子機器。
【発明の詳細な説明】
【技術分野】
【０００１】
本発明の実施形態は、電子機器に関する。
【背景技術】
【０００２】
接着剤の逃し穴が設けられた接合構造が提案されている。
【先行技術文献】
【特許文献】
【０００３】
【特許文献１】特開平１０−２４６２１１号公報
【発明の概要】
【発明が解決しようとする課題】
【０００４】
電子機器は、小型化が要望されている。
【０００５】
本発明の目的は、小型化を図ることができる電子機器を提供することである。
【課題を解決するための手段】
【０００６】
実施形態によれば、電子機器は、第１部材と、第２部材と、支持部材とを備える。前記第２部材は、前記第１部材との間に隙間を空けた第１部分と、該第１部分に対して前記第１部材に近付く方向に傾いて前記第１部材に隣り合う第２部分とを含む。前記支持部材は、前記第２部材の第２部分の内面に接着剤で固定される。前記支持部材は、前記第１部材に隣り合う前記第２部分の端部と前記接着剤との間の位置で前記第２部分の内面に接した突起を有する。
【図面の簡単な説明】
【０００７】
【図１】一つの実施形態に係る電子機器の斜視図。
【図２】図１中に示された第２筐体の一部を分解して示す斜視図。
【図３】図２中に示されたカバー及び支持部材の平面図。
【図４】図３中に示されたカバー及び支持部材のＦ４−Ｆ４線に沿う断面図。
【図５】図４中に示されたカバー及び支持部材の一部を拡大して示す断面図。
【図６】図５中に示されたカバー及び支持部材のＦ６線で囲まれた部分を拡大して示す断面図。
【図７】図５中に示されたカバー及び支持部材のＦ７線で囲まれた部分を拡大して示す断面図。
【図８】図４中に示されたカバー及び支持部材の一部を拡大して示す断面図。
【図９】図３中に示されたカバー及び支持部材のＦ９−Ｆ９線に沿う断面図。
【図１０】図２中に示された支持部材を模式的に示す平面図。
【図１１】図２中に示された表示装置の取付状態を示す平面図。
【発明を実施するための形態】
【０００８】
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
以下、実施の形態について、図面を参照して説明する。  
図１乃至図１１を参照して、一つの実施形態に係る電子機器１について説明する。図１に示すように、本実施形態に係る電子機器１は、例えばノートブック型ポータブルコンピュータである。なお、本実施形態が適用可能な電子機器は、上記例に限られず、例えばタブレット型ポータブルコンピュータ（タブレット端末）や、テレビジョン受像機、携帯電話（スマートフォンを含む）、ゲーム機など種々の電子機器に広く適用可能である。
【００１０】
図１に示すように、電子機器１は、第１筐体２、第２筐体３、及びヒンジ４ａ，４ｂを有する。第１筐体２は、例えば本体筐体である。第１筐体２には、例えば回路基板５やバッテリなどが収容されている。
【００１１】
第１筐体２は、下壁１１（底壁、第１壁）、上壁１２（第２壁）、及び周壁１３（第３壁）を有し、扁平な箱状に形成されている。下壁１１は、例えば電子機器１を机の上に置いた時に、机上面（載置面、外部載置面）に向かい合う。下壁１１は、例えば複数の脚部１４（支持部）を有する。電子機器１が机の上に置かれた時、脚部１４は、机上面に接して電子機器１を支持する。
【００１２】
上壁１２は、下壁１１とは反対側に位置する。上壁１２は、例えば下壁１１と略平行に延びている。上壁１２は、例えば、キーボード１５と、クリックパッドユニット１６とが設けられている。キーボード１５及びクリックパッドユニット１６は、「入力部（入力受付部）」の其々一例である。なお、上壁１２に設けられる「入力部（入力受付部）」は、上記例に限らず、例えばタッチパネル（タッチセンサ）やその他の入力装置でもよい。周壁１３は、下壁１１及び上壁１２とは交差した方向に延び、下壁１１の周縁部と上壁１２の周縁部とを繋いでいる。
【００１３】
図１に示すよう、第２筐体３は、例えば表示筐体である。第２筐体３は、表示装置１８が収容されている。表示装置１８は、表示画面１８ａを有する。詳しく述べると、第２筐体３は、前壁２１（第１壁）、背壁２２（後壁、第２壁）、及び周壁２３（第３壁）を有し、扁平な箱状に形成されている。
【００１４】
前壁２１は、表示装置１８の表示画面１８ａが露出する比較的大きな開口部２１ａが設けられている。背壁２２は、前壁２１とは反対側に位置する。背壁２２は、例えば前壁２１と略平行に延びた部分を含む。周壁２３は、前壁２１及び背壁２２とは交差した方向に延び、前壁２１の周縁部の少なくとも一部と背壁２２の周縁部との少なくとも一部を繋いでいる。
【００１５】
第２筐体３は、マスク２５（第１部材、第１カバー）と、カバー２６（第２部材、第２カバー）とを有する。マスク２５は、前壁２１を含む。なおマスク２５は、周壁２３の一部を含んでもよい。カバー２６は、背壁２２と、周壁２３の少なくとも一部とを含む。第２筐体３は、マスク２５とカバー２６とが組み合わされることで形成されている。なお、以下の説明では、第２筐体３を単に「筐体３」と称する。
【００１６】
図１に示すように、マスク２５は、表示装置１８が露出する上記開口部２１ａが設けられている。また、マスク２５の内面には、複数の第１係合部２７（第１係り部、第１支持部）が設けられている。第１係合部２７は、例えばフック状の爪部（第１爪部）であるが、特定の形状に限定されるものではない。
【００１７】
図２に示すように、本実施形態に係るカバー２６は、金属製（例えばマグネシウム合金製）であり、例えばプレス加工された板金である。つまり、カバー２６は、平面状の板金の中央部が絞られ（窪まされ）、薄い椀状に形成されている。このため、カバー２６の内面は、平面状であり、マスク２５の第１係合部２７が係合するような突起が設けられていない。このようなカバー２６は、薄くて軽く、さらに製造コストも安い。
【００１８】
次に、このカバー２６の形状について、図２乃至図９を参照して詳しく述べる。  
カバー２６は、第１部分３１、第２部分３２、第３部分３３、第４部分３４、及び第５部分３５を有する。第１部分３１（第１壁部）は、例えばカバー２６の中央部である。第１部分３１は、マスク２５との間に隙間を空けている。第１部分３１は、表示装置１８の背面に面する。すなわち、表示装置１８は、該第１部分３１とマスク２５との間に位置する。第１部分３１は、例えばマスク２５と略平行に延びており、平面部（平坦部）の一例である。
【００１９】
図２に示すように、第２部分３２（第２壁部）は、カバー２６の第１端部（例えば上端部）に位置する。図４に示すように、第２部分３２は、第１部分３１とは交差した方向に延びている。第２部分３２は、第１部分３１に対してマスク２５に近付く方向に傾いて延びた斜面部（傾斜部）である。第２部分３２の端部３２ｅは、マスク２５に隣り合う。
【００２０】
また第２部分３２は、筐体３の外側に膨らむ曲面状に形成された曲面部である。第２部分３２は、後述する第３乃至第５の部分３３，３４，３５に比べて、例えば緩やかな角度（小さな曲率）で傾いている。第２部分３２は、例えばカバー２６の第１端部の略全長（つまり筐体３の略全幅）に亘って設けられている。
【００２１】
図２及び図４に示すように、第３部分３３（第３壁部）は、第２部分３２とは反対側に位置する。すなわち第３部分３３は、カバー２６の第２端部（例えば下端部）に位置する。図４に示すように、第３部分３３は、第１部分３１とは交差した方向に延びている。第３部分３３は、第１部分３１に対してマスク２５に近付く方向に傾いて延びた斜面部（傾斜部）である。第３部分３３の端部３３ｅは、マスク２５に隣り合う。
【００２２】
また第３部分３３は、筐体３の外側に膨らむ曲面状に形成された曲面部である。図３に示すように、平面視で見れば、第３部分３３は、第２部分３２と略平行に延びている。第３部分３３は、例えばカバー２６の第２端部の略全長（つまり筐体３の略全幅）に亘って設けられている。
【００２３】
図２及び図３に示すように、第４部分３４は、第２部分３２と第３部分３３との間に亘る。第４部分３４は、カバー２６の第３端部（例えば第１側端部）に位置する。第４部分３４は、第１部分３１とは交差した方向に延びている（図９参照）。第４部分３４は、第１部分３１に対してマスク２５に近付く方向に傾いて延びた斜面部（傾斜部）である。第４部分３４の端部３４ｅは、マスク２５に隣り合う。
【００２４】
また第４部分３４は、筐体３の外側に膨らむ曲面状に形成された曲面部である。図３に示すように、平面視で見れば、第４部分３４は、第２部分３２及び第３部分３３とは略直交した方向に延びている。第４部分３４は、例えばカバー２６の第３端部の略全長に亘って設けられている。
【００２５】
図２及び図３に示すように、第５部分３５は、第２部分３２と第３部分３３との間に亘る。第５部分３５は、第４部分３４とは反対側に位置する。第５部分３５は、カバー２６の第４端部（例えば第２側端部）に位置する。第５部分３５は、第１部分３１とは交差した方向に延びている（図９参照）。第５部分３５は、第１部分３１に対してマスク２５に近付く方向に傾いて延びた斜面部（傾斜部）である。第５部分３５の端部３５ｅは、マスク２５に隣り合う。
【００２６】
また第５部分３５は、筐体３の外側に膨らむ曲面状に形成された曲面部である。図３に示すように、平面視でみれば、第５部分３５は、第４部分３４と略平行に延びている。第５部分３５は、例えばカバー２６の第４端部の略全長に亘って設けられている。
【００２７】
図２に示すように、上述のカバー２６の内面には、支持部材４０（保持部材、取付部材、フレーム）が取り付けられている。支持部材４０は、カバー２６とは別ピースの部品であり、例えば合成樹脂製の成形品である。支持部材４０が取り付けられることで、平坦なカバー２６の内面に、例えばマスク２５の第１係合部２７が係合する係合構造やケーブルの支持構造などが設けられている。
【００２８】
次に、この支持部材４０の形状について、図２乃至図９を参照して詳しく述べる。
【００２９】
図２及び図３に示すように、支持部材４０は、カバー２６の外形（外周縁）に沿う枠状に形成されている。支持部材４０は、例えば第１乃至第４の部分４１，４２，４３，４４（４つの辺部、４つの直線部）を有する。第１乃至第４の部分４１，４２，４３，４４は、カバー２６の第１乃至第４の端部に其々対応する。第１乃至第４の部分４１，４２，４３，４４は、例えば一体成形され、互いに繋がっている。すなわち、支持部材４０は、一体成形された成形品である。
【００３０】
図２乃至図４に示すように、第１部分４１は、カバー２６の第２部分３２に面する。第１部分４１は、カバー２６の第１端部に沿って延び、例えばカバー２６の第１端部の略全長に亘る。第１部分４１は、カバー２６の第２部分３２の内面３２ａに接着剤５１で固定される。第１部分４１には、第１係合部２７が係合する複数の第２係合部５２（第２係り部、第２支持部）が設けられている。第２係合部５２は、例えばフック状の爪部（第２爪部）であるが、特定の形状に限定されるものではない。
【００３１】
図５に示すように、第１部分４１は、第１面５５と、第２面５６とを有する。第１面５５（接着面）は、カバー２６の内面に面する。第２面５６は、第１面５５とは反対側に位置する。第２面５６は、筐体３の内部に露出されている。
【００３２】
図５に示すように、第１部分４１の第１面５５は、カバー２６の第２部分３２の内面３２ａに沿う曲面状に形成されている。第１部分４１の第１面５５は、カバー２６の第２部分３２の内面３２ａとの間にわずかな隙間Ｃ（例えば０．１ｍｍの隙間）を空けている。接着剤５１は、この隙間Ｃに位置し、第１部分４１の第１面５５とカバー２６の第２部分３２の内面３２ａとを接着している。
【００３３】
図５に示すように、第１部分４１は、第１端部５７（第１縁部）と、第２端部５８（第２縁部）とを有する。第１端部５７は、第１部分４１の外側の端部であり、支持部材４０の外周縁に位置する。第２端部５８は、第１端部５７とは反対側に位置する。第２端部５８は、第１部分４１の内側の端部であり、支持部材４０の内周縁に位置する。
【００３４】
図６に示すように、第１部分４１の第１端部５７には、第１突起６１が設けられている。第１突起６１は、第１部分４１の第１面５５からカバー２６の第２部分３２の内面３２ａに向かって突出している。
【００３５】
第１突起６１は、マスク２５に隣り合う第２部分３２の端部３２ｅと接着剤５１との間に位置する。第１突起６１は、カバー２６の第２部分３２の内面３２ａに接するとともに、第２部分３２の端部３２ｅに沿って直線状に延びている。第１突起６１は、接着剤５１のはみ出しを抑制する壁を形成する。
【００３６】
ここで、図２示すように、Ｘ方向、Ｙ方向、及びＺ方向を定義する。Ｘ方向及びＹ方向は、表示画面１８ａと略平行な方向（第１部分３１の内面３１ａと略平行な方向）である。Ｘ方向は、例えばカバー２６の第３部分３３から第２部分３２に向かう方向である。Ｙ方向は、Ｘ方向と交差した（例えば略直交した）方向である。Ｙ方向は、例えばカバー２６の第４部分３４から第５部分３５に向かう方向である。Ｚ方向は、Ｘ方向及びＹ方向と交差した（例えば略直交した）方向である。Ｚ方向は、例えば表示装置１８の厚さ方向（筐体３の厚さ方向、第１部分３１の内面３１ａとは交差した（例えば略直交した）方向）である。
【００３７】
図６に示すように、第１突起６１の先端は、カバー２６の第１部分３１に対して傾斜した傾斜面Ｓを有する。第１突起６１は、カバー２６の第２部分３２の内面３２ａにＸ方向で接するとともに、カバー２６の第２部分３２の内面３２ａにＺ方向で接する。このため、第１突起６１がカバー２６の第２部分３２の内面３２ａに接することで、支持部材４０のＸ方向及びＺ方向の位置が定まる。
【００３８】
また、図５に示すように、第１部分４１の第１面５５には、例えば位置決め用の他の突起６２が設けられている。突起６２は、例えば球面状（曲面状）の先端部を有し、カバー２６の内面に接する。この突起６２は、第１突起６１と同様に、カバー２６の第２部分３２の内面３２ａにＸ方向及びＺ方向で接する。なお、第１突起６１及び該他の突起６２の表面には、接着剤５１は塗られない。
【００３９】
一方で、図５に示すように、第１部分４１の第２端部５８には、溜り部６３が設けられている。溜り部６３は、例えば第１部分４１の第２端部５８の角部に設けられた切欠き（溝）である。溜り部６３は、例えばカバー２６の第１端部に沿って、該第１端部の略全長（つまり筐体３の略全幅）に亘って設けられている。
【００４０】
図７に示すように、溜り部６３は、カバー２６の内面から離れる方向に傾いた面６３ａを有する。これにより、溜り部６３は、他の領域に比べて、カバー２６の内面との間に大きな隙間を空ける。溜り部６３は、支持部材４０をカバー２６に取り付ける際に、支持部材４０の第１面５５とカバー２６の内面との間に挟まれて支持部材４０の内側に向いて移動する接着剤５１の一部を収容可能である。
【００４１】
図７に示すように、溜り部６３の面６３ａは、カバー２６の内面にＺ方向で面する。接着剤５１は、溜り部６３の面６３ａとカバー２６の内面との間に充填され、溜り部６３の面６３ａとカバー２６の内面とを接着する。
【００４２】
次に、図４及び図８を参照して、第２部分４２について詳しく説明する。なお、第１部分４１の構成と同一または類似の機能を有する構成は、同一の符号を付してその説明を省略する。
【００４３】
第２部分４２は、カバー２６の第３部分３３に面する。第２部分４２は、カバー２６の第２端部に沿って延び、例えばカバー２６の第２端部の略全長に亘る。第２部分４２は、カバー２６の第３部分３３の内面３３ａに接着剤５１で固定される。第２部分４２には、第１係合部２７が係合する複数の第２係合部５２（第２係り部、第２支持部）が設けられている。
【００４４】
図８に示すように、第２部分４２の第１面５５は、カバー２６の第３部分３３の内面３３ａに沿う曲面状に形成されている。第２部分４２の第１面５５は、カバー２６の第３部分３３の内面３３ａとの間に隙間Ｃを空けている。接着剤５１は、第２部分４２の第１面５５とカバー２６の第３部分３３の内面３３ａとの間の隙間Ｃに位置し、第２部分４２とカバー２６の第３部分３３とを接着している。
【００４５】
図８に示すように、第２部分４２の第１端部５７には、第２突起６５が設けられている。第２突起６５は、第２部分４２の第１面５５からカバー２６の第３部分３３の内面３３ａに向かって突出している。
【００４６】
第２突起６５は、マスク２５に隣り合う第３部分３３の端部３３ｅと接着剤５１との間に位置する。第２突起６５は、カバー２６の第３部分３３の内面３３ａに接するとともに、第３部分３３の端部３３ｅに沿って直線状に延びている。
【００４７】
図８に示すように、第２突起６５は、カバー２６の第３部分３３の内面３３ａにＸ方向で接するとともに、カバー２６の第３部分３３の内面３３ａにＺ方向で接する。このため、第２突起６５がカバー２６の第３部分３３の内面３３ａに接することで、支持部材４０のＸ方向及びＺ方向の位置が定まる。
【００４８】
また別の観点で見れば、上述の第１突起６１は、カバー２６の第２部分３２の内面３２ａに、第１方向Ｄ１で接する。第２突起６５は、カバー２６の第３部分３３の内面３３ａに、前記第１方向Ｄ１とは異なる第２方向Ｄ２で接する。なお、第１方向Ｄ１及び第２方向Ｄ２は、例えば、カバー２６の第２部分３２の内面３２ａ及び第３部分３３の内面３３ａに略直交した方向である。第１方向Ｄ１と第２方向Ｄ２とは、互いに反対方向の成分を含む。これにより、支持部材４０のＸ方向の位置が定まる。
【００４９】
一方で、第２部分４２の第２端部５８には、溜り部６３が設けられている。溜り部６３は、例えばカバー２６の第２端部に沿って、該第２端部の略全長（つまり筐体３の略全幅）に亘って設けられている。
【００５０】
次に、図９を参照して、第３部分４３について詳しく説明する。なお、第１部分４１の構成と同一または類似の機能を有する構成は、同一の符号を付してその説明を省略する。
【００５１】
第３部分４３は、カバー２６の第４部分３４に面する。第３部分４３は、カバー２６の第３端部に沿って延び、例えばカバー２６の第３端部の略全長に亘る。第３部分４３は、カバー２６の第４部分３４の内面３４ａに接着剤５１で固定される。第３部分４３は、第１係合部２７が係合する複数の第２係合部５２（第２係り部、第２支持部）が設けられている。
【００５２】
図９に示すように、第３部分４３の第１面５５は、カバー２６の第４部分３４の内面３４ａに沿う曲面状に形成されている。接着剤５１は、第３部分４３の第１面５５とカバー２６の第４部分３４の内面３４ａとの間の隙間Ｃに位置し、第３部分４３とカバー２６の第４部分３４とを接着している。
【００５３】
図９に示すように、第３部分４３の第１端部５７には、第３突起６６が設けられている。第３突起６６は、第３部分４３の第１面５５からカバー２６の第４部分３４の内面３４ａに向かって突出している。
【００５４】
第３突起６６は、マスク２５に隣り合う第４部分３４の端部３４ｅと接着剤５１との間に位置する。第３突起６６は、カバー２６の第４部分３４の内面３４ａに接するとともに、第４部分３４の端部３４ｅに沿って直線状に延びている。
【００５５】
図９に示すように、第３突起６６は、カバー２６の第４部分３４の内面３４ａにＹ方向で接するとともに、カバー２６の第４部分３４の内面３４ａにＺ方向で接する。このため、第３突起６６がカバー２６の第４部分３４の内面３４ａに接することで、支持部材４０のＹ方向及びＺ方向の位置が定まる。
【００５６】
一方で、第３部分４３の第２端部５８には、溜り部６３が設けられている。溜り部６３は、例えばカバー２６の第３端部に沿って、該第３端部の略全長に亘って設けられている。
【００５７】
次に、図９を参照して、第４部分４４について詳しく説明する。なお、第１部分４１の構成と同一または類似の機能を有する構成は、同一の符号を付してその説明を省略する。
【００５８】
第４部分４４は、カバー２６の第５部分３５に面する。第４部分４４は、カバー２６の第４端部に沿って延び、例えばカバー２６の第４端部の略全長に亘る。第４部分４４は、カバー２６の第５部分３５の内面３５ａに接着剤５１で固定される。第４部分４４には、第１係合部２７が係合する複数の第２係合部５２（第２係り部、第２支持部）が設けられている。
【００５９】
図９に示すように、第４部分４４の第１面５５は、カバー２６の第５部分３５の内面３５ａに沿う曲面状に形成されている。接着剤５１は、第４部分４４の第１面５５とカバー２６の第５部分３５の内面３５ａとの間の隙間Ｃに位置し、第４部分４４とカバー２６の第５部分３５とを接着している。
【００６０】
図９に示すように、第４部分４４の第１端部５７には、第４突起６７が設けられている。第４突起６７は、第４部分４４の第１面５５からカバー２６の第５部分３５の内面３５ａに向かって突出している。
【００６１】
第４突起６７は、マスク２５に隣り合う第５部分３５の端部３５ｅと接着剤５１との間に位置する。第４突起６７は、カバー２６の第５部分３５の内面３５ａに接するとともに、第５部分３５の端部３５ｅに沿って直線状に延びている。
【００６２】
図９に示すように、第４突起６７は、カバー２６の第５部分３５の内面３５ａにＹ方向で接するとともに、カバー２６の第５部分３５の内面３５ａにＺ方向で接する。このため、第４突起６７がカバー２６の第５部分３５の内面３５ａに接することで、支持部材４０のＹ方向及びＺ方向の位置が定まる。
【００６３】
また別の観点で見れば、上述の第３突起６６は、カバー２６の第４部分３４の内面３４ａに、第３方向Ｄ３で接する。第４突起６７は、カバー２６の第５部分３５の内面３５ａに、前記第３方向Ｄ３とは異なる第４方向Ｄ４で接する。なお、第３方向Ｄ３及び第４方向Ｄ４は、例えば、カバー２６の第４部分３４の内面３４ａ及び第５部分３５の内面３５ａに略直交した方向である。第３方向Ｄ３と第４方向Ｄ４とは、互いに反対方向の成分を含む。これにより、支持部材４０のＹ方向の位置が定まる。
【００６４】
一方で、第４部分４４の第２端部５８には、溜り部６３が設けられている。溜り部６３は、例えばカバー２６の第４端部に沿って、該第４端部の略全長に亘って設けられている。
【００６５】
図１０では、上記第１乃至第４の突起６１，６５，６６，６７及び溜り部６３が設けられた位置を太線で模式的に示す。図１０に示すように、支持部材４０の外周縁には、第１乃至第４の突起６１，６５，６６，６７を含むリブ７１が設けられている。すなわち、第１乃至第４の突起６１，６５，６６，６７は、互いに繋がり、支持部材４０の外周縁を沿う枠状のリブ７１を形成している。リブ７１は、例えば支持部材４０の外周縁の略全周に設けられている。なお、リブ７１は、途中で途切れていてもよい。つまり、支持部材４０の外周縁の一部にリブ７１が設けられていない箇所が存在してもよい。
【００６６】
また、図１０に示すように、支持部材４０の第１乃至第４部分４１，４２，４３，４４に其々設けられた溜り部６３は、互いに繋がり、支持部材４０の内周縁に沿う枠状の溜り部６３が形成されている。すなわち、溜り部６３は、支持部材４０の内周縁に沿って延びている。溜り部６３は、例えば支持部材４０の内周縁の略全周に設けられている。なお、溜り部６１は、途中で途切れていてもよい。つまり、支持部材４０の内周縁の一部に溜り部６３が設けられていない箇所が存在してもよい。
【００６７】
図１１に示すように、筐体３には、表示装置１８が収容される。支持部材４０の内周縁に溜り部６３が設けられているため、接着剤５１は、支持部材４０の内側に漏れにくい。このため、表示装置１８と支持部材４０との間のクリアランスを小さくすることができる。
【００６８】
このような構成の電子機器１によれば、小型化を図ることができる。  
すなわち本実施形態に係る電子機器１は、第１部材（例えばマスク２５）と、第２部材（例えばカバー２６）と、支持部材４０とを含む。前記第２部材は、前記第１部材との間に隙間を空けた第１部分３１と、該第１部分３１に対して前記第１部材に近付く方向に傾いて前記第１部材に隣り合う第２部分３２とを含む。前記支持部材４０は、前記第２部材の第２部分３２の内面３２ａに接着剤５１で固定される。前記支持部材４０は、前記第１部材に隣り合う第２部分３２の端部３２ｅと接着剤５１との間の位置で第２部分３２の内面３２ａに接したリブ７１を有する。
【００６９】
この構成によれば、支持部材４０の端部と接着剤５１との間にリブ７１が設けられているため、支持部材４０の外側に接着剤５１が漏れにくい。このため、支持部材４０の外周縁とカバー２６の外周縁との間のクリアランスを小さくすることができる。これにより、電子機器１の小型化を図ることができる。
【００７０】
さらに、第１部分３１に対して傾いたカバー２６の第２部分３２にリブ７１が接することで、Ｚ方向に加えて、Ｘ方向の支持部材４０の位置決めが定まる。このため、支持部材４０の位置決めを高精度に行いやすい。すなわち、電子機器１は、高密度及び高精度で部品の実装を図りやすい。これは、電子機器１のさらなる小型化に寄与する。
【００７１】
本実施形態では、マスク２５には、第１係合部２７が設けられている。カバー２６は、マスク２５との間に表示装置１８が位置した第１部分３１と、該第１部分３１に対してマスク２５に近付く方向に傾いてマスク２５に隣り合う第２部分３２とを含む。支持部材４０は、カバー２６の第２部分３２の内面３２ａに接着剤５１で固定され、第１係合部２７が係合する第２係合部５２を有する。支持部材４０は、マスク２５に隣り合う第２部分３２の端部３２ｅと接着剤５１との間で第２部分３２の内面３２ａに接して第２部分３２の端部３２ｅに沿って延びた第１突起６１を有する。
【００７２】
この構成によれば、第１係合部２７を受ける係合構造がカバー２６に必要なく、カバー２６の形状を単純にすることができる。これは、電子機器１の小型化（薄型化）やコストダウンに寄与する。また、上記構成によれば、支持部材４０の高精度の位置決めを通じて、第２係合部５２の位置を高精度に定めることができる。これは、第１係合部２７と第２係合部５２との間のガタなどを小さくし、電子機器１の高品位化に寄与する。
【００７３】
本実施形態では、表示装置１８は、表示画面１８ａを有する。リブ７１の一部である第１突起６１は、表示装置１８の厚さ方向で第２部分３２の内面３２ａに接するとともに、表示画面１８ａと略平行な方向で第２部分３２の内面３２ａに接する。このような構成によれば、表示装置１８の厚さ方向と、表示画面１８ａと略平行な方向とにおいて、支持部材４０の位置決めを行うことができる。
【００７４】
本実施形態では、カバー２６は、第２部分３２とは反対側に位置して、第１部分３１とは交差した方向に延びてマスク２５に隣り合う第３部分３３を有する。支持部材４０は、カバー２６の第３部分３３の内面３３ａに接着剤５１で固定される。支持部材４０は、第２突起６５を有する。第２突起６５は、マスク２５に隣り合う第３部分３３の端部３３ｅと接着剤５１との間の位置で第３部分３３の内面３３ａに接して第３部分３３の端部３３ｅに沿って延びている。このような構成によれば、第１突起６１と第２突起６５とによって、支持部材４０の位置決めをさらに高精度に行うことができる。
【００７５】
本実施形態では、第１突起６１は、カバー２６の第２部分３２の内面３２ａに第１方向Ｄ１で接する。第２突起６５は、カバー２６の第３部分３３の内面３３ａに、第１方向Ｄ１とは異なる第２方向Ｄ２で接する。このような構成によれば、支持部材４０の位置決めをさらに高精度に行うことができる。
【００７６】
本実施形態では、支持部材４０は、カバー２６の外形に沿う枠状に形成されている。支持部材４０の外周縁には、第１突起６１及び第２突起６５を含むリブ７１が設けられている。リブ７１は、支持部材４０の外周縁の略全周に設けられている。このような構成によれば、枠状のリブ７１によって、カバー２６の内面の略全周にリブ７１を当てることができ、支持部材４０の位置決めをさらに高精度に行うことができる。またリブ７１は、カバー２６の外周端部の略全域でカバー２６の斜面部に当てられるため、Ｘ方向、Ｙ方向、及びＺ方向の位置決めを行うことができる。
【００７７】
本実施形態では、支持部材４０の内周縁には、カバー２６の内面から離れる方向に傾いた面６３ａを有して接着剤５１の一部を収容可能な溜り部が設けられている。このような構成によれば、支持部材４０の内側に接着剤５１が漏れにくい。このため、支持部材４０の内周縁と、支持部材４０の内側に位置する部材（例えば表示装置１８）との間のクリアランスを小さくすることができる。これにより、電子機器１のさらなる小型化を図ることができる。
【００７８】
例えば接着剤の逃し穴が支持部材４０に設けられた構造では、逃し穴が設けられた面積分だけ、接着面積が減少する。このため、支持部材４０の小型化を図りにくい。一方で、本実施形態では、溜り部６３の傾いた面６３ａとカバー２６の内面との間が接着剤５１によって固定される。このような構成によれば、支持部材４０を小型化しても接着面積を十分に確保しやすい。このため、支持部材４０の小型化を図りやすい。これは、電子機器１の小型化に寄与する。
【００７９】
本実施形態では、溜り部６３は、支持部材４０の内周縁に沿って延びている。溜り部６３は、例えば支持部材４０の内周縁の略全周に設けられている。このような構成によれば、支持部材４０の内側に接着剤５１がさらに漏れにくく、電子機器１のさらなる小型化を図ることができる。
【００８０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００８１】
例えば、接着剤５１は、支持部材４０の略全域に設けられる必要はない。接着剤５１は、例えば、第２係合部５２の近傍から離れた箇所では設けられなくてもよい。リブ７１及び溜り部６３は、例えば接着剤５１が設けられていない領域で省略してもよい。
【符号の説明】
【００８２】
Ｄ１…第１方向、Ｄ２…第２方向、１…電子機器、１８…表示装置、１８ａ…表示画面、２５…マスク、２６…カバー、２７…第１係合部、３１…第１部分、３２…第２部分、３３…第３部分、４０…支持部材、５１…接着剤、５２…第２係合部、６１…第１突起、６３…溜り部、６５…第２突起、７１…リブ。
【図１】
2014123066.tif 000003
【図２】
2014123066.tif 000004
【図３】
2014123066.tif 000005
【図４】
2014123066.tif 000006
【図５】
2014123066.tif 000007
【図６】
2014123066.tif 000008
【図７】
2014123066.tif 000009
【図８】
2014123066.tif 000010
【図９】
2014123066.tif 000011
【図１０】
2014123066.tif 000012
【図１１】
2014123066.tif 000013